(57)【要約】【課題】室外または室内での火災等の際に熱の侵入を防いで防火性能を向上させる。【解決手段】窓部の方立１３は、両側の窓１２を支持する一対の縦枠１７と、一対の縦枠１７の間に設けた外側方立部１８及び内側方立部１９とを備えた。縦枠１７及び外側方立部１８の間にアンカー１５をそれぞれ設けた。アンカー１５は縦枠１７の両端に形成した第一係合部１７ｃを係止させる第一係止部３４をアンカー本体の両端に設けると共に、外側方立部１８の突出部２１の第二係合部２１ａと係止する第二係止部３５を設けた。外側方立部１８の室外側に設けた外側中空枠部２０には縦枠１７に当接して止水するパッキン２６を連結した。【選択図】図３
2014190085.tif 000002
【特許請求の範囲】
【請求項１】
上下または／及び左右の窓を保持する窓部連結構造において、
両側の窓を支持する一対の枠体と、前記一対の枠体の間に設けられた仕切り部と、前記枠体及び仕切り部の間に設けられていて前記枠体と仕切り部とにそれぞれ係合させる係止部を備えたアンカーと、を備えたことを特徴とする窓部連結構造。
【請求項２】
前記仕切り部は室外側仕切り部と室内側仕切り部とからなり、前記枠体と室外側仕切り部とをそれぞれ前記アンカーの係止部で係合させるようにした請求項１に記載された窓部連結構造。
【請求項３】
前記アンカーの係止部は、前記枠体の幅方向両端部にそれぞれ設けた第一係合部にそれぞれ係止する第一係止部と、室外側仕切り部に設けた第二係合部に係止する第二係止部と、を設けた請求項２に記載された窓部連結構造。
【請求項４】
前記第二係止部は、前記アンカーの幅方向中央に対して前記第二係止部の幅方向にずれて形成され、前記室外側仕切り部に対して前記両側のアンカーが逆向きに取り付けられて前記第二係止部同士を重ねて、前記室外側仕切り部と連結した請求項３に記載された窓部連結構造。
【請求項５】
前記室外側仕切り部は室外側の端部に外側中空枠部が形成され、該外側中空枠部と枠体との間に前記封止部材が配設されている請求項２から４のいずれか１項に記載された窓部連結構造。
【請求項６】
請求項１から５のいずれか１項に記載された前記窓部連結構造を備え、該窓部連結構造と窓を挟んで反対側に他の枠体を設け、該他の枠体と建物の開口部との間を連結した前記アンカーが配設されていることを特徴とする窓部。
【請求項７】
上下または／及び左右の窓を位置決めする窓部連結構造において、
両側の窓を支持する一対の枠体と、一対の枠体の間に設けられた室外側仕切り部及び室内側仕切り部と、前記室内側仕切り部に設けられた係合部と、前記室外側仕切り部に設けられた係止部とが対向して設けられ、前記係合部と係止部は前記室内側仕切り部と室外側仕切り部とが相対的に離間する際に係合可能であることを特徴とする窓部連結構造。
【請求項８】
前記室外側仕切り部の両側には前記一対の枠体とそれぞれ連結される一対のアンカーが設けられ、前記室内側仕切り部は前記枠体と室外側仕切り部の少なくとも一方とねじで固定されている請求項７に記載された窓部連結構造。
【請求項９】
前記室内側仕切り部の室内側の端部に内側中空枠部が形成され、該内側中空枠部の枠体側の押圧板が前記ねじで前記枠体及び室外側仕切り部の少なくとも一方に連結されている請求項７または８に記載された窓部連結構造。
【発明の詳細な説明】
【技術分野】
【０００１】
本発明は、左右方向または上下方向に隣接して窓を設けた方立または無目等を含む窓部連結構造とこの窓部連結構造を備えた窓部に関する。
【背景技術】
【０００２】
従来、連窓または段窓等の複数の窓を方立や無目等によって仕切って構成された窓部として、例えば特許文献１に記載されたものが知られている。この窓部では、左右両側の窓の間に設置する方立として、それぞれ窓を保持する一対の縦枠の間に室外側に方立本体を設け、室内側に押縁材とカバーを設けた。方立本体は見込み方向（室内外方向）に延びる見込み片と室外側に延びる見つけ片とで断面略Ｔ字形に形成し、見込み片の先端に形成した固定片を押縁材とねじで固定している。
そして、方立の見つけ片両側には縦枠にそれぞれ当接して止水可能な止水材としてパッキンが固定されている。上記特許文献１に記載された連窓は、方立の室内側端部のみをねじ止めし、室外側端部はパッキンで押圧している。
【０００３】
また、図１０に示す連窓１では、窓２に対して方立と反対側の端部に縦枠３を固定し、この縦枠３と窓枠４の開口部４ａとの連結部において、縦枠３の幅方向両端の突起部３ａ、３ａをアンカー５のアンカー本体の幅方向両端と係止部５ａ，５ａとの間に係合させる。そして、アンカー５の係止部５ａ，５ａと反対の面に設けた突片５ｂに鉄筋６を溶接して躯体に埋設固定するようにしていた。その後、アンカー５の突片５ｂと鉄筋６との連結部をモルタルで埋め込むことにしている。
【先行技術文献】
【特許文献】
【０００４】
【特許文献１】特開２０１１−９９２０５号公報
【発明の概要】
【発明が解決しようとする課題】
【０００５】
しかしながら、特許文献１に記載された窓部では、例えば、室外側に火災が発生すると、アルミ合金からなる左右の縦枠は熱で反って外側に伸びてしまう。すると、熱によって縦枠の外側部分が伸びると外側が拘束されていないため、縦枠が内側部分より外側に大きく開いてしまい、その隙間から熱が方立内に流入してしまうため防火性能が低下する欠点があった。
【０００６】
また、室内側に火災が発生すると、方立の室内側に設けたカバーや、ねじで固定されている押縁材が溶融し、更にねじで固定されている見込み片が溶融する等してねじ固定が緩んでしまい、見込み片が室内側にずれてしまう。そのため、方立本体の見付け片に固定したパッキンと縦枠との当接が緩んでしまいパッキンと縦枠との間隙から熱が侵入する等して防火性能が低下するという欠点があった。
【０００７】
本発明は、このような問題点に鑑みてなされたものであって、室外または室内での火災等の際に熱の侵入を防いで防火性能を向上させるようにした窓部連結構造及びこれを備えた窓部を提供することを目的とする。
【課題を解決するための手段】
【０００８】
本発明による窓部連結構造は、上下または／及び左右の窓を保持する窓部連結構造において、両側の窓を支持する一対の枠体と、前記一対の枠体の間に設けられた仕切り部と、前記枠体及び仕切り部の間に設けられていて前記枠体と仕切り部とにそれぞれ係合させる係止部を備えたアンカーと、を備えたことを特徴とする。
本発明による窓部連結構造は、仕切り部の両側に枠体をそれぞれ配設し、側仕切り部と枠体との間にアンカーを配設して枠体と仕切り部とを係止部でそれぞれ係合させたため、室外側の火災等で枠体が熱で外側に沿って開き作動しようとしてもアンカーの係止部によって仕切り部に係合させたために枠体の開き作動を抑制し、仕切り部と枠体との間から熱が窓部連結構造に侵入することを防止できる。窓部連結構造は、例えば左右両側の窓を仕切る方立だけでなく、上下両側の窓を仕切る無目をも含むものとする。
【０００９】
また、仕切り部は室外側仕切り部と室内側仕切り部とからなり、枠体と室外側仕切り部とをそれぞれアンカーの係止部で係合させるようにした。
また、アンカーの係止部は、枠体の幅方向両端部にそれぞれ設けた第一係合部にそれぞれ係止する第一係止部と、室外側仕切り部に設けた第二係合部に係止する第二係止部と、を設けることが好ましい。
室外側で火災が発生した際、室内側より室外側の方が熱が高いため、枠体は室外側で熱で反って外側に開こうとするが、枠体の幅方向両端部の第一係合部をアンカーの第一係止部に係止したので、枠体の開き作動を抑制できる。
【００１０】
また、第二係止部は、アンカーの幅方向中央に対して第二係止部の幅方向にずれて形成され、室外側仕切り部に対して両側のアンカーが逆向きに取り付けられて第二係止部同士を重ねて室外側仕切り部と連結してもよい。
室外側仕切り部の両側でアンカーを前後逆向きに配設したことで、室外側仕切り部に両側のアンカーの第二係止部が重ねて配設されるので、ねじ等による連結を確実にできる。
【００１１】
また、室外側仕切り部は室外側の端部に外側中空枠部が形成され、該外側中空枠部と枠体との間に封止部材が配設されていてもよい。
アンカーで枠体が熱で外側に開くことを抑制できるから、外側中空枠部と枠体との間で封止部材が当接することを確保して火災による熱が窓部連結構造内に侵入することを防止でき、防火性能が高い。しかも、外側中空枠部で熱の伝達を抑えることができる。
【００１２】
また、本発明による窓部は、上述した窓部連結構造を備えており、該窓部連結構造と窓を挟んで反対側に他の枠体を設け、該他の枠体と建物の開口部との間を連結したアンカーが配設されていることを特徴とする。
本発明による窓部は、窓部連結構造に用いるアンカーを窓部の他の枠体と建物の開口部との間にも配設して他の枠体と開口部とを連結できる上に、窓部連結構造のアンカーと同一のアンカーを用いることができて製造コストを低廉にできる。
【００１３】
本発明による窓部連結構造は、上下または／及び左右の窓を位置決めする窓部連結構造において、両側の窓を支持する一対の枠体と、一対の枠体の間に設けられた室外側仕切り部及び室内側仕切り部と、室内側仕切り部に設けられた係合部と、室外側仕切り部に設けられた係止部とが対向して設けられ、係合部と係止部は室内側仕切り部と室外側仕切り部とが相対的に離間する際に係合可能であることを特徴とする。
本発明による窓部連結構造によれば、室内側に火災が生じた際、室内側仕切り部が溶融して室内側に相対移動しようとするが、室内側仕切り部に設けられた係合部と室外側仕切り部に設けられた係止部とが係合することで、室内側仕切り部の離脱を抑制でき、しかも枠体のズレを防止できる。
【００１４】
また、室外側仕切り部の両側には一対の枠体とそれぞれ連結される一対のアンカーが設けられ、室内側仕切り部は枠体と室外側仕切り部の少なくとも一方とねじで固定されていることが好ましい。
室外側仕切り部は両側に設けた一対のアンカーを介して一対の枠体とそれぞれ連結されており、しかも、室内側仕切り部は枠体と室外側仕切り部の少なくとも一方とねじで固定されているから、室内側に火災が発生した場合には溶融して室内側仕切り部が離脱することを抑え、室外側に火災が発生した場合には枠体が熱によって外側に開くことをアンカーによって抑制できる。
【００１５】
また、室内側仕切り部の室内側の端部に中空枠部が形成され、該中空枠部の枠体側の押圧板がねじで枠体及び室外側仕切り部の少なくとも一方に連結されていてもよい。
室内側の火災が発生した際、室内側仕切り部の中空枠部の外面が溶融しても空間によって内部が加熱溶融するまでの時間を遅らせることができるため防火性能を向上できる。
【発明の効果】
【００１６】
本発明による窓部連結構造によれば、室外での火災等の際に、熱で反って仕切り部から開き作動しようとする枠体をアンカーによって仕切り部に支持するから枠体の開き作動を防止して、熱の侵入を防いで防火性能を向上させることができる。
【００１７】
また、本発明による窓部によれば、同一のアンカーを窓部連結構造と開口部のいずれにも用いることができて製造コストを低減できる。
また、本発明による窓部連結構造によれば、室内側に火災が生じた際、室内側仕切り部が溶融して室内側に相対移動しようとするが、室内側仕切り部に設けられた係合部と室外側仕切り部に設けられた係止部とが係合することで、室内側仕切り部の離脱を抑制できると共に枠体のズレも防止できる。そのため、窓部連結構造内に熱が通過することを防いで防火性能を向上させることができる。
【図面の簡単な説明】
【００１８】
【図１】本発明の第一実施形態における窓部を示す正面図である。
【図２】図１に示す窓部の連窓における方立の水平断面図である。
【図３】図２に示す方立の拡大図である。
【図４】図３に示す方立に設けたアンカーを示すもので、（ａ）は正面図、（ｂ）は側面図である。
【図５】（ａ）、（ｂ）、（ｃ）、（ｄ）は方立における室内側方立部の組立工程を示す図である。
【図６】本発明の第二実施形態による窓部の段窓における無目の縦断面図である。
【図７】図６に示す無目の拡大図である。
【図８】方立の他の実施形態の断面図を示すものであり、（ａ）は第三実施形態、（ｂ）は第四実施形態、（ｃ）は第五実施形態、（ｄ）は第六実施形態、（ｅ）は第七実施形態の図である。
【図９】（ａ）は第五実施形態による方立におけるアンカーの正面図と側面図、（ｂ）は第六実施形態による方立におけるアンカーの正面図と側面図である。
【図１０】従来の連窓における開口部と窓の枠体とアンカーとの連結構造を示す水平断面図である。
【発明を実施するための形態】
【００１９】
以下、本発明の実施形態による窓部１０と窓部連結構造である方立１３について添付図面を参照しながら説明する。
図１乃至図５は本発明の第一実施形態による窓部１０と方立１３を示すものである。図１に示す窓部１０において、建物１１の開口部１１ａに４つの窓１２が取り付けられ、窓部１０における連窓の左右の窓１２の間には縦方向に方立１３が形成され、段窓の上下の窓１２の間には水平方向に無目１４が形成されている。そして、各窓１２の四辺には所定間隔で後述するアンカー１５が取り付けられている。
【００２０】
図２に示す窓部１０の水平断面図には、建物１１の開口部１１ａ内に設けた左右２つの窓１２の間に方立１３が形成されている。図３において、方立１３は両側の窓１２のガラス体を保持部１７ａで保持する一対の縦枠１７，１７と、これら縦枠１７，１７の間に取り付けられた室外側方立部１８と室内側方立部１９とを有している。室外側方立部１８は窓１２の外側に突出して位置する中空状の外側中空枠部２０と、外側中空枠部２０の中央から室内側に延びる中空状の突出枠部２１とを有し、更に突出枠部２１の先端部には屈曲して室内側に延びる見込み片２２を有している。
【００２１】
見込み片２２の途中部分には横方向に延びていて先端に係止爪部２３ａを有する係止アーム２３が形成されている。室外側方立部１８の外側中空枠部２０における縦枠１７，１７の断面略Ｌ字状の当接部１７ｂに対向する面には保持部２５によって止水性の封止部材としてパッキン２６が保持され、パッキン２６は縦枠１７に当接されている。なお、断面略Ｌ字状の当接部１７ｂ、１７ｂは縦枠１７，１７の室外側と室内側の端部にそれぞれが形成されている。
【００２２】
また、室内側方立部１９は、窓１２の内側に突出して位置する中空状の内側中空枠部２８と、内側中空枠部２８を覆うと共に内側中空枠部２８の両側部に設けた係止部２８ａに係合した断面略コ字状のカバー部材２９とを有している。内側中空枠部２８における各縦枠１７の当接部１７ｂに当接する押圧板２８ｂはその中央に室外方向に延びる断面略Ｌ字状のアーム部３０を有しており、アーム部３０の先端の係合爪部３０ａは見込み片２２における係止アーム２３の係止爪部２３ａと係合可能とされている。
なお、係止アーム２３の係止爪部２３ａとアーム部３０の係合爪部３０ａは常態において非接触とされているが、係合状態であってもよい。しかも、図３において、これら係止爪部２３ａと係合爪部３０ａはアーム部３０が縦方向（室内方向）と横方向（窓１２方向）のいずれに相対移動しても係合することになる。また、係止アーム部２３とアーム部３０は係止爪部２３ａと係合爪部３０ａで係合可能であるだけでなく、係止アーム部２３とアーム部３０同士でも係合可能である。本発明では、係止アーム部２３と係止爪部２３ａとは係止部に含まれ、アーム部３０と係合爪部３０ａとは係合部に含まれる。
【００２３】
また、室内側方立部１９における押圧板２８ｂと両側の縦枠１７，１７に設けた当接部１７ｂとは、ねじ３１によってそれぞれ螺合され固定されている。更に、押圧板２８ｂと室外側方立部１８の見込み片２２の先端部２２ａは、ねじ３１によって螺合され固定されている。
そして、図３において、各縦枠１７と室外側方立部１８との間には一対のアンカー１５が配設され、各縦枠１７と室外側方立部１８を互いに係合している。アンカー１５は、図４に示すように、板状のアンカー本体３３とその一方の面の両端に分岐されて形成された断面略Ｌ字状の第一係止部３４，３４と他方の面の中央に形成された断面略Ｌ字状の第二係止部３５とを有している。第一係止部３４は屈曲部が斜めに形成されている。
【００２４】
そして、図３において、アンカー１５はアンカー本体３３の両端と第一係止部３４、３４との間に縦枠１７の室外側と室内側にそれぞれ設けた当接部１７ｂ、１７ｂの屈曲した第一係合部１７ｃ、１７ｃをそれぞれ嵌合させることで係止している。また、突出枠部２１における見込み片２２の両側端部には第二係合部２１ａ、２１ａが形成されている。各アンカー１５の第二係止部３５は室外側方立部１８の突出枠部２１に形成した第二係合部２１ａと係止している。
従って、各縦枠１７と室外側方立部１８とがアンカー１５によって連結され、縦枠１７と室内側方立部１９とがねじ３１によって固定されている。室外側方立部１８の見込み片２２の先端部２２ａと室内側方立部１９とがねじ３１で固定されている。
なお、方立１３の各部材は例えばアルミ合金で形成されているが、アンカー１５は例えばアルミ合金より高強度なスチールで形成されている。
【００２５】
本実施形態による方立１３は上述の構成を備えており、次に方立１３の組立方法を図５により説明する。
図５（ａ）において、方立１３における室外側方立部１８はその両側に設けたアンカー１５を介して縦枠１７，１７を連結させた状態において、室内側方立部１９のアーム部３０を見込み片２２と一方のアンカー１５との間隙から挿入する。そして、図５（ｂ）、（ｃ）において、アーム部３０を挿入後、室内側方立部１９を横方向にスライドして、アーム部３０の係合爪部３０ａが見込み片２２の係止アーム２３に形成した係止爪部２３ａに当接して弾性変形させて乗り越えて、アーム部３０の係合爪部３０ａと見込み片２２の係止爪部２３ａとが接触した係合状態、または非接触に対向した状態になる。
【００２６】
次に、図５（ｄ）において、室内側方立部１９の内側中空枠部２８における押圧板２８ｂと縦枠１７の当接部１７ｂとをねじ３１で螺合すると共に、押圧板２８ｂと室外側方立部１８の見込み片２２の先端部２２ａとをねじ３１で螺合することで連結する。そして、内側中空枠部２８の外側にカバー部材２９を嵌合させて、係止部２８ａにカバー部材２９の係合部を係合させる。
【００２７】
本実施形態による窓部１０と方立１３は上述の構成を備えているから、例えば、室外側に火災が発生した場合、方立１３における室外側方立部１８の外側中空枠部２０が溶融するが、外側中空枠部２０は空洞に形成されているので突出枠部２１方向の溶融が遅れる。しかも、室外側方立部１８の両側の縦枠１７，１７は、室内側より室外側の方が加熱による伸びが大きいため、室外側において外側に反って開こうとするがアンカー１５，１５によって室外側方立部１８に連結されているため、縦枠１７，１７が外側に開くことを抑制する。特にアンカー１５はスチール製であり、アルミ合金製の他の部材より高強度であるため、縦枠１７，１７が開くことを確実に防止できる。
そのため、室外側方立部１８の外側中空枠部２０に設けたパッキン２６，２６に対して縦枠１７，１７が外側にずれて当接面積が少なくなることがなく、熱が方立１３内に流入することを抑制して防火性能を向上できる。
【００２８】
また、室内側に火災が発生した場合には、まずカバー部材２９が溶融し、内側中空枠部２８の外側の面が溶融するが、内側中空枠部２８は空洞に形成されているので溶融が遅れる。その後、内側中空枠部２８の押圧板２８ｂが溶融してねじ３１が緩むが、押圧板２８ｂに形成されたアーム部３０の係合爪部３０ａが見込み片２２の係止アーム２３に形成した係止爪部２３ａに噛み合って室内側方立部１９が室内側にずれることを防止できる。縦枠１７のズレも防止できる。
【００２９】
なお、図２に示す建物１１の開口部１１ａにおいて、窓１２のガラス体の外側端部を固定する縦枠１７の両側の当接部１７ｂの第一係合部１７ｃにアンカー１５が両端のアンカー本体３３と第一係止部３４、３４で係止されている。アンカー１５の他方の面の中央に設けた第二係止部３５には予め鉄筋３７が溶接等で固定され、躯体３８内に延びている。そして躯体３８とアンカー１５との間はモルタルで埋設されている。
【００３０】
上述のように本第一実施形態によれば、方立１３の互いに連結した室外側方立部１８と室内側方立部１９の両側にスチール製のアンカー１５、１５を介して縦枠１７，１７を係合して拘束したから高強度である。そして、室外側に火災が発生したとしても、室外側方立部１８の外側に外側中空枠部２０を設けたから、熱が縦枠１７，１７に伝達することが遅れて防火性能が高い。しかも、熱の伝達を受けて縦枠１７，１７が熱変形して外側に開いてパッキン２６，２６からずれて熱が方立１３内に侵入することをアンカー１５によって抑制できる。
また、方立１３に用いた一対のアンカー１５と窓１２の端部の開口部１１ａに用いたアンカー１５とは同一部材であるから、部品を共通化できるため製造コストを低廉にできる。
【００３１】
また、室内側に火災が発生した場合でも、室外側方立部１８の見込み片２２の係止爪部２３ａと室内側方立部１９のアーム部３０の係合爪部３０ａとが互いに係合するため、熱で内側中空枠部２８や押圧板２８ｂが溶融して、室内側方立部１９と縦枠１７，１７及び室外側方立部１８とを互いに連結するねじ３１が緩んでも、室内側方立部１９が脱落したり見込み方向（室内側）に移動したりすることを防止し、熱が方立１３内に流入することを防止できる。更に、室内側方立部１９の横移動を防ぐこともできる。また、内側中空枠部２８の空洞によって溶融を遅らせることができるので防火性能を向上できる。
【００３２】
なお、本発明は、上述した実施形態による窓部１０や方立１３に限定されるものではなく、本発明の要旨を逸脱しない範囲で適宜の変更や置換等が可能である。以下、本発明の変形例や他の実施形態について、上述した実施形態による窓部１０及び方立１３と同一または同様な部分、部材には同一の符号を用いて説明する。
図６に示す第二実施形態による窓部１０は、第一実施形態における方立１３と同様な構成を上下の窓１２，１２を支持する無目１４として設けたものである。
【００３３】
図６及び図７に示す窓部１０の縦断面図には、建物１１の開口部１１ａに設けた上下２つの窓１２の間に無目１４が設けられている。
無目１４は上下の窓１２のガラス体を保持部１７ａで保持する一対の横枠３９Ａ，３９Ｂと、これら横枠３９Ａ，３９Ｂの間に取り付けられた室外側無目部４１と室内側無目部４２とを有している。横枠３９Ａ，３９Ｂは上述した実施形態による縦枠１７と相違する形状を有しており、両方の横枠３９Ａ，３９Ｂ間でも相違する形状を有している。
室外側無目部４１は室外側から室内側に延びる見込み４３とその室内側端部に形成された中空状の室外側中空枠部４４とを有しており、見込み４３の途中部分には両端に第二係合部４３ａ，４３ａが形成された見付け部４３ｂが形成されている。
【００３４】
また、室内側無目部４２は、横枠３９Ａ、３９Ｂの断面略Ｌ字状の当接部１７ｂ、１７ｂに当接する室内側中空枠部４５が設けられ、カバー部材で覆われている。そして、室内側中空枠部４５の押圧板４５ａは当接部１７ｂ、１７ｂと中空枠部４４にねじ３１でそれぞれ螺合されて固定されている。そして、中空枠部４４に形成した断面略Ｌ字状のフック部４４ａと押圧板４５ａに形成した断面略Ｌ字状のフック部４５ｂとが係合状態に保持されている。そのため、室外側無目部４１と室内側無目４２とはフック部４４ａ、４５ｂによって分離されないように支持されている。
また、室外側無目部４１の見込み４３の室外側先端部と一方の横枠３９Ａとの間に封止部材としてパッキン４６が設けられ、見込み４３の室外側先端部と他方の横枠３９Ｂとの間にも封止部材としてパッキン４７が設けられている。
【００３５】
また、図７において、無目１４の一方、例えば下側の横枠３９Ａの端部には室内側だけでなく室外側にも当接部１７ｂが形成されている。そして、室外側無目部４１の一方側、例えば下側には上述した第一実施形態によるアンカー１５が取り付けられ、両端の第一係止部３４とアンカー本体３３との間に横枠３９Ａにおける当接部１７ｂの第一係合部１７ｃが嵌合されている。また、アンカー１５の他方の面に設けた第二係止部３５は見付け部４３ｂの一方の第二係合部４３ａと係止している。
【００３６】
また、室外側無目部４１において、下側に設けたアンカー１５を第一アンカーとすると、これと異なる形状の第二アンカー４９が上側に取り付けられている。この第二アンカー４９は例えばスチール製であり、アンカー本体５０における一方の面の一端部と第一係止部５１との間に横枠３９Ｂの当接部１７ｂの第一係合部１７ｃが嵌合し、他方の面の他端部には第二係止部５２ａと第三係止部５２ｂがそれぞれ突出して形成されている。そして、第二係止部５２ａは見付け部４３ｂの第二係合部４３ａと係合し、第三係止部５２ｂは横枠３９Ｂに設けた第三係合部５３と係止している。
そのため、アンカー１５によって室外側無目部４１と一方の横枠３９Ａを係止させ、第二アンカー４９によって他方の横枠３９Ｂと室外側無目部４１とを係止させている。
【００３７】
そして、図６において、無目１４の横枠３９Ａと下側の窓１２を挟んで対向する開口部１１ａには横枠３９Ｂが取り付けられてガラス体を保持し、この横枠３９Ｂには予め鉄筋３７が溶接等で連結された第二アンカー４９が係合されている。
一方、無目１４の横枠３９Ｂと上側の窓１２を挟んで対向する開口部１１ａには横枠３９Ａが取り付けられてガラス体を保持し、この横枠３９Ａには予め鉄筋３７が溶接等で連結されたアンカー１５が係合されている。
【００３８】
本第二実施形態による窓部１０によれば、室外側に火災が発生した場合、室外側無目部４１における見込み４３が溶融し、そして熱の伝達を受けて横枠３９Ａ，３９Ｂの室内側より室外側の方が熱変形が大きく反りによって外側に開こうとしてもスチール製のアンカー１５と第二アンカー４９によって開き作動を抑制できる。そのため、室外側無目部４１の見込み４３に対して横枠３９Ａ，３９Ｂが外側に開いて熱が無目１４内に流入することをアンカー１５、第二アンカー４９によって抑制できる。
【００３９】
しかも、無目１４に用いたアンカー１５及び第二アンカー４９と開口部１１ａに用いたアンカー１５及び第二アンカー４９とはそれぞれ同一部材であるから、二種の部材ではあるが製造コストを低廉にできる。
【００４０】
次に本発明における方立の他の実施形態について図８及び図９により説明する。
図８（ａ）は第三実施形態による窓部１０の方立５５を示す断面図であり、アンカー１５は第一実施形態によるものと同一である。相違点として、室内側方立部１９におけるカバー部材２９を設けた内側中空枠部２８にアーム部３０が設けられていない。そして、室外側方立部１８に設けた見込み２２は係止アーム２３が設けられていない。そのため、見込み２２の先端部２２ａが内側中空枠部２８の押圧板２８ｂとねじ３１で螺合されて固定されている。
この構成においても、室外側の火災の際、縦枠１７，１７が外側に開くことをアンカー１５によって阻止できるという効果を奏する。
【００４１】
図８（ｂ）は第四実施形態による窓部１０の方立５７を示す断面図であり、アンカー１５は第一実施形態によるものと同一である。第一実施形態との相違点として、本実施形態では、室内側方立部１９には中空枠部は形成されず押圧板２８ｂのみ形成され、その外側をカバー部材２９で被覆している。また、押圧板２８ｂから延びる二本のリブ５８の先端でアンカー１５の第二係止部３５の屈曲部を押圧するように構成されている。この構成によってアンカー１５と縦枠１７との分離を一層防止できる。
【００４２】
また、室内側方立部１９の押圧板２８ｂの室外側には、一対のリブ５８，５８間に第二中空枠部５９が形成され、第二中空枠部５９の第二押圧板５９ａと見込み２２の先端部２２ａとをねじ３１で螺合して固定している。この構成によれば、室内側に火災が発生した際、室内側方立部１９は第二中空枠部５９が空洞に形成されているので、第二押圧板５９ａと見込み２２の先端部２２ａとを連結するねじ３１に熱が伝達して緩んだりすることを一層抑制できる。そのため、第一実施形態のように室内側方立部１９の押圧板２８ｂにアーム部３０を設けてその係合爪部３０ａと見込み２２の係止爪部２３ａを係止させなくても室内側方立部１９の熱による離脱を抑制できる。
【００４３】
図８（ｃ）は第五実施形態による窓部１０の方立６１を示す断面図であり、本実施形態では第四実施形態と同様に、室内側方立部１９にカバー部材２９で覆われた押圧板２８ｂに第二中空枠部５９を設け、更に一対のリブ５８を設けた点で共通している。
そして、図９（ａ）に示すようにアンカー１５は第二係止部３５に代えて断面略Ｔ字形の第二係止部６２を備えており、第二係止部６２の先端部は室外側方立部１８の突出枠部２１に形成した一対の第二係合部２１ａ、２１ａと係合している。しかも、見込み２２の先端部２２ａに係止部２２ｂが形成され、この係止部２２ｂにリブ５８から突出するアーム部６３の係合部６３ａが係止している。また、室内側方立部１９において、内側中空枠部２８を設けずに押圧板２８ｂだけ配設した。
【００４４】
このような構成を採用したため、室内側に火災が発生した際、室内側方立部１９は押圧板２８ｂに第二中空枠部５９が形成されているので、第二押圧板５９ａと見込み２２の先端部２２ａとを連結するねじ３１に熱が伝達して緩んだりすることを抑制できると共に、仮にねじ３１が緩んだとしても、見込み２２の先端部２２ａに形成した係止部２２ｂに、リブ５８から突出するアーム部６３の係合部６３ａが係止することで、室内側方立部１９の方立１３からの離脱を確実に防止できる。しかもアンカー１５の第二係止部６２の立ち上がり部が大きいので、鉄筋３７の溶接を確実で躯体側の溶接による固定が確実である。
【００４５】
図８（ｄ）は第六実施形態による窓部１０の方立６６を示す断面図である。本実施形態では、図９（ｂ）に示すように、アンカー１５における第二係止部６７は突板形状とされ、しかも、第二係止部６７の突出位置はアンカー本体３３の長手方向中央よりも板厚の分だけ長手方向に偏った位置に形成されている。
そのため、図８（ｄ）に示す方立６６において、室外側方立部１８の突出枠部２１には見込み２２が設けられていない。しかも室外側方立部１８に対して両側のアンカー１５は長手方向を１８０度反転させて縦枠１７，１７の当接部１７ｂの第一係合部１７ｃに第一係止部３４、３４が係止されている。この状態で、両側のアンカー１５、１５同士は突出枠部２１の先端面に第二係止部６７，６７が互いに重ねて当接する構成が得られ、これら二枚の第二係止部６７，６７と突出枠部２１の先端面をねじ３１で螺合することで固定できる。また、室内側方立部１９は中空枠部２８をカバー部材２９で覆う構成を有している。
【００４６】
本実施形態によれば、室外側に火災があった際、アンカー１５が室外側方立部１８に強固に保持でき、縦枠１７，１７の反りによる開放作動を確実に防止できる。また、室内側方立部１９では、内側中空枠部２８から見込み方向に離間した位置で中央のねじ３１により第二係止部６７，６７と突出枠部２１の先端面を固定できるため、熱による中央のねじ３１の緩みと室内側方立部１９の緩みや離脱を確実に防止できる。
【００４７】
次に図８（ｅ）は第七実施形態による窓部１０の方立６９を示す断面図である。本実施形態では、図９（ｂ）に示すものと同様に、アンカー１５における第二係止部６７は突出位置がアンカー本体３３の長手方向中央よりも板厚の分だけ長手方向に偏った位置に形成されている。
そして、図８（ｅ）に示す方立６９において、室外側方立部１８の突出枠部２１には見込み２２が設けられ、その先端部２２ａは室内側方立部１９に設けた押圧板２８ｂに連結した第二中空枠部５９の当接面とねじ３１で螺合されて固定されている。押圧板２８ｂはカバー部材２９で覆われている。また、突出枠部２１の先端部における見込み２２の両側には各アンカー１５、１５の第二係止部６７がそれぞれ当接し、ねじ３１によって螺合されて固定されている。
【００４８】
本第七実施形態によれば、室外側方立部１８の突出枠部２１に両側のアンカー１５の第二係止部６７，６７を固定すると共に見込み２２の先端部２２ａと第二中空枠部５９の第二押圧板５９ａをねじ３１で連結固定したから、一層強度が高く、室外側で、そして室内側で火災が発生しても、縦枠１７，１７を強固に室外側方立部１８に固定できる上に、室内側方立部１９の離脱も確実に防止できる。
【００４９】
なお、本発明において、方立１３、５５、５７、６１、６６，６９は連窓の仕切り体を構成し、無目１４は段窓の仕切り体を構成するものであり、室外側方立部１８または室外側無目部４１をその両側に設けたアンカー１５、１５またはアンカー１５及び第二アンカー４９を介して縦枠１７，１７または横枠３９Ａ，３９Ｂと連結したものである。なお、上述した方立１３、５５、５７、６１、６６，６９は無目として用いることができ、また、無目１４は方立として用いることもでき、いずれも窓部連結構造を構成することができる。
【００５０】
また、室外側仕切り部は室外側方立部１８と室外側無目部４１とを含み、室内側仕切り部は室内側方立部１９と室内側無目部４２を含んでいる。
また、上述した各実施形態において、縦枠１７、１７、横枠３９Ａ，３９Ｂは本発明における枠体に含まれる。
【符号の説明】
【００５１】
１０  窓部
１２  窓
１３、５５，５７，６１，６６，６９  方立  
１４  無目
１５  アンカー
１７  縦枠
１７ｂ  当接部
１７ｃ  第一係合部
１８  室外側方立部
１９  室内側方立部
２０  外側中空枠部
２１  突出枠部
２１ａ、４３ａ  第二係合部
２２  見込み
２３  係止アーム部
２３ａ  係止爪部
２６，４６，４７  パッキン
２８  内側中空枠部
２８ｂ  押圧板
３０  アーム部
３０ａ  係合爪部
３１  ねじ
３４  第一係止部
３５、５２ａ、６２，６７  第二係止部
３７  鉄筋
３９Ａ，３９Ｂ  横枠
４１  室外側無目部
４２  室内側無目部
４４  中空枠部
４９  第二アンカー
５２ｂ  第三係止部
５８  リブ
５９  第二中空枠部
【図１】
2014190085.tif 000003
【図２】
2014190085.tif 000004
【図３】
2014190085.tif 000005
【図４】
2014190085.tif 000006
【図５】
2014190085.tif 000007
【図６】
2014190085.tif 000008
【図７】
2014190085.tif 000009
【図８】
2014190085.tif 000010
【図９】
2014190085.tif 000011
【図１０】
2014190085.tif 000012